(57)【要約】【課題】複数の使い方ができ、嵩張ることもなくスマートに見える多用途衣料品を提供する。【解決手段】筒状に編み上げられた伸縮性のある編物品であって、一重の状態で筒状に編み上げられた筒状品２を、二重に折り返して端縁ｅ同士を縫い合わせたものであり、折り返したときに形成される内側の筒状部１Ａと外側の筒状部１Ｂが、その中心軸周りに互いにねじれた状態となるように端縁ｅ同士を縫い合わせている。伸縮性がある故に、頭部や首にも被せることができるから、帽子やイヤーバンド、ネックウォーマーとして使用するができる。そして、縫合した端部を広げると折り返された端部がすぼまった状態となるから、縫合した端部側から頭に被ると、上部の開口が小さくなるので、保温性が向上する。【選択図】図１
0003139126.tif 000002
【実用新案登録請求の範囲】
【請求項１】
筒状に編み上げられた伸縮性のある編物品であって、
該編物品は、
一重の状態で筒状に編み上げられた筒状品を、二重に折り返して端縁同士を縫い合わせたものであり、
折り返したときに形成される内側の筒状部と外側の筒状部が、その中心軸周りに互いにねじれた状態となるように前記端縁同士を縫い合わせている
ことを特徴とする多用途衣料品。
【請求項２】
幅が１３〜２３ｃｍ、長さが１５〜３０ｃｍである
ことを特徴とする請求項１記載の多用途衣料品。
【請求項３】
幅が１５〜２０ｃｍ、長さが２０〜２５ｃｍである
ことを特徴とする請求項１または２記載の多用途衣料品。
【考案の詳細な説明】
【技術分野】
【０００１】
本考案は、多用途衣料品に関する。さらに詳しくは、人の頭部と首に用いる衣料品に関する。
【背景技術】
【０００２】
従来の保温用衣料品では、頭部用では帽子やイヤーバンドがあり、首用ではネックウォーマーがある。これらは、それぞれ単独の用途をもち、帽子がイヤーバンドになったりネックウォーマーになったりすることはなかった（非特許文献１参照）。
したがって、本当に寒い日には帽子もネックウォーマーも用いて、厳重に耐寒装備すればよいのであるが、さほど寒くもなく、かといって保温が全く不要といえない気温のときは、どの保温具を持つか迷うときもある。また、沢山の保温具を持てば嵩張るだけでスマートに見えない、というファッション上の抵抗感もある。
【０００３】
【非特許文献１】商品大辞典  １９９２年１０月１５日  第１２版発行  東洋経済新報社発行  1214〜1215頁
【考案の開示】
【考案が解決しようとする課題】
【０００４】
本考案は上記事情に鑑み、複数の使い方ができ、嵩張ることもなくスマートに見える多用途衣料品を提供することを目的とする。
【課題を解決するための手段】
【０００５】
第１考案の多用途衣料品は、筒状に編み上げられた伸縮性のある編物品であって、該編物品は、一重の状態で筒状に編み上げられた筒状品を、二重に折り返して端縁同士を縫い合わせたものであり、折り返したときに形成される内側の筒状部と外側の筒状部が、その中心軸周りに互いにねじれた状態となるように前記端縁同士を縫い合わせていることを特徴とする。
第２考案の多用途衣料品は、第１考案において、幅が１３〜２３ｃｍ、長さが１５〜３０ｃｍであることを特徴とする。
第３考案の多用途衣料品は、第１または第２考案において、幅が１５〜２０ｃｍ、長さが２０〜２５ｃｍであることを特徴とする。
【考案の効果】
【０００６】
第１考案によれば、内側の筒状部と外側の筒状部がその中心軸周りに互いにねじれた状態となっているので、縫合した端部を広げると折り返された端部がすぼまった状態となる。よって、縫合した端部側から頭に被ると、上部の開口が小さくなるので、保温性が向上する。また、伸縮性がある故に、上部の開口を広げることができるので、頭部や首にも被せることができ、頭に被せてもきつすぎず、首に入れても緩すぎない。よって、帽子やイヤーバンド、ネックウォーマーとして使用することができる。
第２、３考案によれば、幅が頭に被せたり首に入れるのに最適の寸法で、大人なら男女兼用で使用することができる。
【考案を実施するための最良の形態】
【０００７】
つぎに、本考案の実施形態を図面に基づき説明する。
図１は（イ）図は本考案の一実施形態に係る多用途衣料品１の斜視図であり、（ロ）図は二つ折りする前の筒状品２の斜視図である。図２は同実施形態に係る多用途衣料品１を裏返した状態の説明図である。図３は（Ａ）図は帽子として使用する状態の単体図であり、（Ｂ）図は帽子として使用している状態の説明図である。図４は（Ａ）図はネックウォーマーとして使用している状態、（Ｂ）図はイヤーバンドとして使用している状態の説明図である。
【０００８】
図１および図２に示すように、本実施形態の多用途衣料品１は、筒状に編み上げられた伸縮性のある編物品であって、一重の状態で筒状に編み上げられた筒状品２を、二重に折り返して端縁ｅ，ｅ同士を縫い合わせたものである。
そして、本実施形態の多用途衣料品１は、筒状品２を二重に折り返したときに、折り返したときに形成される内側の筒状部１Ａと外側の筒状部１Ｂが、その中心軸周りに互いにねじれた状態となるように端縁ｅ，ｅ同士を縫い合わせている。
【０００９】
例えば、図１（Ｂ）に示すように、一重の状態の筒状品２をその軸方向が上下方向に向くように配置した場合において、その上端縁ｅにおける互いに対向する位置を点ａ、点ｂとし、その下端縁ｅにおいて点ａの直下に位置する部分を点ｃ、点ｂの直下に位置する部分を点ｄとする。
かかる筒状品２を、その下端縁ｅが内側に入るように長手方向の中間部において折り返し、その下端部ｅが上端部ｅに位置するように折り返し、内側の筒状部１Ａと外側の筒状部１Ｂとを形成する。このときに、下端縁ｅにおける点ｄが点ａの位置に、点ｃが点ｂの位置に配置されるようにする。つまり、内側の筒状部１Ａと外側の筒状部１Ｂとが、その中心軸周りに互いに180度ねじれた状態となるように配置する。そして、上端縁ｅと下端縁ｅとを縫い合わせれば、本実施形態の多用途衣料品１が完成する。
【００１０】
かかる本実施形態の多用途衣料品１は、図３（Ａ）に示すように、縫合した端部を広げると折り返された端部（図３（Ａ）では上方端部）がすぼまった状態となり、その開口が小さくなる。すると、縫合した端部（図３（Ａ）では下方端部）から頭に被ると、折り返された端部の開口が小さくなるので、帽子として使用した場合に頭部天面の保温性が向上する(図３（Ｂ）)。また、帽子としての使用した場合、耳を覆うように被ることも可能である。
なお、内側の筒状部１Ａと外側の筒状部１Ｂとのねじれる角度はとくに限定されず、180度より大きくてもよいし180度よりも小さくてもよい。
【００１１】
上記筒状品２は編物により作られる。つまり、一系列の糸が作ったループ（編目）の連綴によってできる布地で、ニットとも称される。縦糸と横糸の二系列の糸を直角に交錯してできる織物とは異なり、伸縮性を有する点に特徴がある。本考案に使用する筒状品２の場合であれば、一重の状態で筒状に編み上げるときに、その伸縮性が幅方向に多く発現し長さ方向には多少発現するようにすればよい。また、使用する糸の材料は、とくに制限がなく、綿、毛、絹、人絹、合成糸などを任意に用いてよい。
なお、本実施形態の多用途衣料品１を、冬に保温用衣料品として使用するのであれば、使用する糸の材料はとくに限定されないが、夏に使用する場合には、吸湿性を有する綿やポリエステル等の素材が好ましい。
【００１２】
本実施形態の多用途衣料品１は、帽子として使用すると上記のごとき利点があるが、伸縮性を有し、かつ、幅Ｗ方向に多くの伸縮性が発現するように編み上げられているので、上部の開口を広げることができる。すると、頭部や首にも被せることができ、頭に被せてもきつすぎず、首に入れても緩すぎない。よって、例えば、図４（Ａ）に示すようにネックウォーマーとしても使用できるし、図４（Ｂ）にはイヤーバンドとしても使用できる。
なお、本実施形態の多用途衣料品１の使用法は、これらの使用方法に限定されないのは、いうまでもない。
【００１３】
また、本実施形態の多用途衣料品１の大きさはとくに限定されないが、寸法は、幅Ｗは１３〜２３ｃｍが好ましく、とくに、１５〜２０ｃｍがより好ましく、また、長さＬは１５〜３０ｃｍが好ましく、とくに、２０〜２５ｃｍがより好ましい。かかる寸法とすれば、大人であれば男女兼用で無理なく使用することができるので、好適である。
【図面の簡単な説明】
【００１４】
【図１】（イ）図は本考案の一実施形態に係る多用途衣料品１の斜視図であり、（ロ）図は二つ折りする前の筒状品２の斜視図である。
【図２】同実施形態に係る多用途衣料品１を裏返した状態の説明図である。
【図３】（Ａ）図は帽子として使用する状態の単体図であり、（Ｂ）図は帽子として使用している状態の説明図である。
【図４】（Ａ）図はネックウォーマーとして使用している状態、（Ｂ）図はイヤーバンドとして使用している状態の説明図である。
【符号の説明】
【００１５】
１      多用途衣料品
１Ａ    内側の筒状部
１Ｂ    外側の筒状部
２      筒状品
ｅ      端縁
【図１】
0003139126.tif 000003
【図２】
0003139126.tif 000004
【図３】
0003139126.tif 000005
【図４】
0003139126.tif 000006